(57)【要約】【課題】デジタルチューナにて選局・復調したデジタル放送の映像及び音声信号からアナログテレビ放送信号を生成する変調器を備えたヘッドエンド装置において、デジタル放送の音声モードをデジタルチューナから出力することなく、変調器にてその音声モードに対応する放送信号を生成できるようにする。【解決手段】ＣＡＴＶシステムのヘッドエンド装置１０には、ＢＳデジタル放送をアナログテレビ放送として再送信するために、ＢＳデジタル放送を選局・復調してアナログテレビ放送信号に変換する復変調部２０が備えられ、その復変調部２０には、ＢＳデジタルチューナ２２から出力される光音声信号に含まれるステータス情報からＢＳデジタル放送の音声モードを判定して変調器２４に出力するコントローラ３０が設けられている。この結果、変調器２４側では、ＢＳデジタル放送と同じ音声モードのアナログテレビ放送信号を生成できる。【選択図】  図１
2004282484.tif 000002
【特許請求の範囲】
【請求項１】
受信アンテナから入力された受信信号の中から所定放送チャンネルのデジタルテレビ放送を選局し、映像信号及び音声信号を復調するデジタルチューナと、
該デジタルチューナにて復調された映像信号及び音声信号から所定伝送チャンネルのアナログテレビ放送信号を生成する変調器と、
を備え、該変調器にて生成されたアナログテレビ放送信号をＣＡＴＶシステムの伝送線に送出するヘッドエンド装置であって、
前記デジタルチューナは、前記音声信号として、前記デジタルテレビ放送の音声モードに対応したアナログ音声信号、及び、該音声モードを表すステータス情報を含むデジタル音声信号、を夫々復調して出力するよう構成され、
前記変調器は、前記デジタルチューナから出力されるアナログ音声信号を、前記デジタルテレビ放送の音声モードに対応して変調することにより、前記デジタルテレビ放送の音声モードに対応したアナログテレビ放送信号を生成するよう構成され、
更に、前記デジタルチューナから出力されるデジタル音声信号を取り込み、該デジタル音声信号に含まれるステータス情報から前記デジタルテレビ放送の音声モードを判定し、該判定結果を前記変調器に出力することで、前記変調器で生成されるアナログテレビ放送信号の音声モードを前記デジタルテレビ放送の音声モードに対応させる音声判定手段、を備えたことを特徴とするヘッドエンド装置。
【請求項２】
請求項１に記載のヘッドエンド装置を備え、該ヘッドエンド装置から伝送線上に送出されたアナログテレビ放送信号を、該伝送線を介して複数の端末まで伝送することを特徴とするＣＡＴＶシステム。
【発明の詳細な説明】
【０００１】
【発明の属する技術分野】
本発明は、受信アンテナから入力された受信信号の中から所定放送チャンネルのデジタルテレビ放送を選局して映像及び音声信号を復調し、その復調した映像及び音声信号から伝送用のアナログテレビ放送信号を生成して、ＣＡＴＶシステムの伝送線上に送出するヘッドエンド装置、及び、このヘッドエンド装置を備えたＣＡＴＶシステムに関する。
【０００２】
【従来の技術】
従来より、テレビ放送としては、地上局を利用した地上波放送、放送衛星（ＢＳ）を利用したＢＳ放送、通信衛星（ＣＳ）を利用したＣＳ放送等が知られている。そして、これらのテレビ放送を再送信するＣＡＴＶシステムにおいては、ヘッドエンド装置側で、各放送電波を受信し、その受信信号をそのまま周波数変換したり、或いは、受信信号に含まれるテレビ放送信号を個々に周波数変換することにより、複数のテレビ放送信号を、ＣＡＴＶシステムで伝送可能な周波数帯域内に納め、伝送線上に送出するようにしている。
【０００３】
ところで、近年、ＢＳ放送では、従来、行われていたＢＳアナログ放送に加えて、ＢＳデジタル放送が開始された。そして、既存のＣＡＴＶシステムにおいて、このＢＳデジタル放送の受信信号を、従来と同様にそのまま（もしくは周波数変換しただけで）伝送線に送出しようとすると、ＣＡＴＶシステムでの伝送可能帯域が狭いことから、ＢＳアナログ放送等の他の受信信号を伝送できなくなることがあった。また、ＢＳデジタル放送を受信アンテナにて受信した信号形態でそのまま伝送すると、端末側でＢＳデジタル放送を視聴する際に、ＢＳデジタル放送専用の受信機が必要になる。
【０００４】
そこで、近年では、こうしたＢＳデジタル放送を、既存のＣＡＴＶシステムで他の受信信号と共に再送信する方法として、ヘッドエンド装置側で、ＢＳデジタル放送を受信可能なＢＳデジタルチューナを用いて、所定放送チャンネルのＢＳデジタル放送を選局・復調し、更に、アナログテレビ放送信号生成用の変調器を用いて、その復調した映像信号及び音声信号から所定伝送チャンネルのアナログテレビ放送信号（日本国内の場合、ＮＴＳＣ方式のテレビ放送信号）を生成し、その生成したアナログテレビ放送信号を端末側に伝送する方法が考えられている（例えば、特許文献１参照。）。
【０００５】
つまり、このようにすれば、ＣＡＴＶシステムでは、ＢＳデジタル放送で提供される放送チャンネルの映像及び音声信号を、地上波放送と同じ周波数帯（ＶＨＦ若しくはＵＨＦ帯）のアナログテレビ放送信号として伝送できることになり、しかも、端末側では、従来の一般的なテレビ受信機を用いて、ＢＳデジタル放送を視聴できることになる。
【０００６】
【特許文献１】
特開２００２−２４７５４６号公報
【０００７】
【発明が解決しようとする課題】
ところで、上記のように、ヘッドエンド装置にＢＳデジタルチューナと変調器を設けた場合、変調器が生成するアナログテレビ放送信号の音声モードを、ＢＳデジタル放送の音声モードに対応させる必要がある。
【０００８】
つまり、テレビ放送の音声モードとしては、周知のように、モノラル、ステレオ、多音声、といった３種類の音声モードがあり、ＢＳデジタル放送でも、音声モードがこの３種類の音声モードの一つに適宜切り換えられて放送されることから、ＣＡＴＶシステムの端末側でＢＳデジタル放送にて提供されている所望の音声を再生できるようにするには、変調器がアナログテレビ放送信号を生成する際の音声信号の変調方式を、ＢＳデジタル放送の音声モードに対応させる必要があるのである。
【０００９】
そして、このためには、ＢＳデジタルチューナ側にて音声信号を復調した際に識別した音声モードを表す情報を、ＢＳデジタルチューナから変調器に出力するよう構成すればよいが、このためには、ＢＳデジタルチューナの改良が必要となり、ＢＳデジタルチューナに既存のものを使用することができなくなってしまう。
【００１０】
つまり、一般に市販されているＢＳデジタルチューナは、音声信号として、アナログ音声信号とデジタル音声信号との２種類の音声信号を出力するようになっているが、その音声信号の種別（モノラル・ステレオ・多音声）を表す情報は出力できないことから、ＢＳデジタルチューナから変調器に音声信号の種別を表す情報を出力して、変調器側でＢＳデジタル放送の音声モードに対応したアナログテレビ放送信号を生成させるには、音声信号の種別を表す情報を出力可能な専用のデジタルチューナを使用しなければならず、ヘッドエンド装置のコストアップを招く、といった問題が生じるのである。
【００１１】
本発明は、こうした問題に鑑みなされたものであり、デジタルテレビ放送を選局・復調するデジタルチューナと、その復調した映像及び音声信号からアナログテレビ放送信号を生成する変調器とを備えたヘッドエンド装置において、デジタルチューナからデジタルテレビ放送の音声モードを表す情報を出力することなく、変調器側にてその音声モードに対応するアナログテレビ放送信号を生成できるようにすることを目的とする。
【００１２】
【課題を解決するための手段】
係る目的を達するためになされた請求項１記載のヘッドエンド装置は、受信アンテナから入力された受信信号の中から所定放送チャンネルのデジタルテレビ放送を選局し、映像信号及び音声信号を復調するデジタルチューナと、該デジタルチューナにて復調された映像信号及び音声信号から所定伝送チャンネルのアナログテレビ放送信号を生成する変調器とを備え、該変調器にて生成されたアナログテレビ放送信号をＣＡＴＶシステムの伝送線に送出するヘッドエンド装置であって、前記デジタルチューナは、前記音声信号として、前記デジタルテレビ放送の音声モードに対応したアナログ音声信号、及び、該音声モードを表すステータス情報を含むデジタル音声信号、を夫々復調して出力するよう構成され、前記変調器は、前記デジタルチューナから出力されるアナログ音声信号を、前記デジタルテレビ放送の音声モードに対応して変調することにより、前記デジタルテレビ放送の音声モードに対応したアナログテレビ放送信号を生成するよう構成され、更に、前記デジタルチューナから出力されるデジタル音声信号を取り込み、該デジタル音声信号に含まれるステータス情報から前記デジタルテレビ放送の音声モードを判定し、該判定結果を前記変調器に出力することで、前記変調器で生成されるアナログテレビ放送信号の音声モードを前記デジタルテレビ放送の音声モードに対応させる音声判定手段、を備えたことを特徴とする。
【００１３】
このように、本発明のヘッドエンド装置には、デジタルチューナから出力されるデジタル音声信号に含まれるステータス情報からデジタルテレビ放送の音声モードを判定する音声判定手段が備えられ、変調器は、この音声判定手段からの出力（判定結果）に基づきアナログ音声信号を変調することで、デジタルテレビ放送の音声モードに対応したアナログテレビ放送信号を生成する。
【００１４】
従って、本発明のヘッドエンド装置によれば、デジタルチューナとして、復調したアナログ音声信号の音声モードを表す情報を出力可能な専用（所謂業務用）のデジタルチューナを使用する必要がなく、一般に市販されている安価なデジタルチューナを使用できることになり、ヘッドエンド装置のコストアップを招くのを防止できる。
【００１５】
また、変調器は、デジタルテレビ放送と同じ音声モードのアナログテレビ放送信号を生成することから、本発明のヘッドエンド装置を用いてＣＡＴＶシステムを構築すれば、その端末側で、デジタルテレビ放送にて提供されている所望の音声（モノラル音声、ステレオ音声、若しくは多音声の内の主音声又は副音声）を再生できるようになり、加入者に対するサービスを向上できる。
【００１６】
尚、本発明のヘッドエンド装置は、従来技術の項にて説明したＢＳデジタル放送を再送信するＣＡＴＶシステムは勿論のこと、ＣＳデジタル放送或いは地上波デジタル放送を再送信するＣＡＴＶシステムに適用することもできる。
つまり、本発明のヘッドエンド装置においては、デジタルチューナとして、ＢＳデジタル放送を受信するＢＳデジタルチューナを設けるようにすれば、ＢＳデジタル放送にて提供される映像及び音声信号をアナログテレビ放送信号に変換して再送信することができ、デジタルチューナとして、ＣＳデジタル放送を受信するＣＳデジタルチューナを設けるようにすれば、ＣＳデジタル放送にて提供される映像及び音声信号をアナログテレビ放送信号として再送信することができ、デジタルチューナとして、地上波デジタル放送を受信する地上波デジタルチューナを設けるようにすれば、地上波デジタル放送にて提供される映像及び音声信号をアナログテレビ放送信号として再送信することができる。
【００１７】
そして、この再送信されるアナログテレビ放送信号は、何れも、音声判定手段を用いて元のデジタルテレビ放送と同じ音声モードにすることができることから、ＣＡＴＶシステムの端末側では、元のデジタルテレビ放送により提供される所望の音声を再生することが可能となる。
【００１８】
一方、請求項２記載のＣＡＴＶシステムは、請求項１に記載のヘッドエンド装置を備え、該ヘッドエンド装置から伝送線上に送出されたアナログテレビ放送信号を、該伝送線を介して複数の端末まで伝送することを特徴とする。
よって、このＣＡＴＶシステムによれば、デジタルテレビ放送を、その音声モードと同じ音声モードのアナログテレビ放送として再送信することができるようになり、しかも、ヘッドエンド装置に、デジタルテレビ放送の音声モードを表す情報を出力可能な専用（所謂業務用）のデジタルチューナを設ける必要がないことから、ＣＡＴＶシステムのコストを抑制できる。
【００１９】
【発明の実施の形態】
以下に本発明の実施形態を図面と共に説明する。
図１は、本発明が適用された実施例のＣＡＴＶシステム全体の構成を表す構成図である。
【００２０】
図１に示すように、本実施例のＣＡＴＶシステムは、ＶＨＦテレビ放送（アナログ）を行う地上局からの放送電波を受信するＶＨＦアンテナ２、ＵＨＦテレビ放送（アナログ放送）を行う地上局からの放送電波を受信するＵＨＦアンテナ４、ＣＳ放送用の通信衛星（ＣＳ）からの放送電波を受信し、その受信信号を所定の中間周波数帯のＣＳ受信信号に周波数変換して出力するＣＳアンテナ６、及び、ＢＳデジタル放送を行う放送衛星（ＢＳ）からの放送電波を受信し、その受信信号を所定の中間周波数帯のＢＳ受信信号に周波数変換して出力するＢＳアンテナ８を備えたヘッドエンド装置１０と、ヘッドエンド装置１０から送出される多数のテレビ放送信号を端末側に伝送する伝送線（同軸ケーブル）Ｌと、伝送線Ｌ上に設けられて伝送線Ｌを流れる伝送信号（ヘッドエンド装置１０から送出されたテレビ放送信号等）を増幅する増幅器１４，１６と、分岐或いは分配用の各種伝送機器（図示せず）とから構成されている。
【００２１】
ここで、ヘッドエンド装置１０においては、ＶＨＦアンテナ２、ＵＨＦアンテナ４、及びＣＳアンテナ６からの受信信号については、そのまま、若しくは、伝送用の周波数帯に周波数変換した後、送出装置１２から伝送線Ｌ上に送出するようにされている。
【００２２】
また、ＢＳアンテナ８からのＢＳ受信信号については、ＢＳデジタル放送の放送チャンネルの数に対応した複数の復変調部２０を用いて、各放送チャンネル毎にＢＳデジタル放送を選局・復調して映像及び音声信号を再生し、その再生した映像及び音声信号でＮＴＳＣ方式に再度変調することにより、ＶＨＦ・ＵＨＦの地上波放送と同じように所定伝送チャンネルのアナログテレビ放送信号を生成し、その生成したテレビ放送信号を、他のテレビ放送信号と一緒に、送出装置１２から伝送線Ｌ上に送出するようにされている。
【００２３】
即ち、ヘッドエンド装置１０には、ＢＳアンテナ８からのＢＳ受信信号を分配する分配器１１が設けられており、この分配器１１にて分配されたＢＳ受信信号を、夫々、各復変調部２０の受信信号入力端子２０ａに入力するようにされている。
【００２４】
また、各復変調部２０には、受信信号入力端子２０ａに入力されたＢＳ受信信号の中から、予め設定された放送チャンネルのテレビ放送信号（デジタルテレビ放送信号）を選局し、そのテレビ放送信号に含まれる映像及び音声信号を復調するＢＳデジタルチューナ２２と、ＢＳデジタルチューナ２２にて復調された映像及び音声信号を、所定伝送チャンネルのテレビ放送信号（ＮＴＳＣ方式のアナログテレビ放送）に変換する変調器２４とが設けられている。
【００２５】
そして、この変調器２４にて生成されたテレビ放送信号は、放送信号出力端子２０ｂから送出装置１２に出力され、送出装置１２にて他のテレビ放送信号と混合されて、伝送線Ｌ上に送出される。
また、各復変調部２０に設けられたＢＳデジタルチューナ２２には、ヘッドエンド装置１０のコストを抑えるために、システム専用（所謂業務用）のデジタルチューナではなく、市販（所謂民生用）のデジタルチューナが用いられている。
【００２６】
そして、本実施例のＢＳデジタルチューナ２２は、ＢＳアンテナ８から分配器１１を介して受信信号入力端子２０ａに入力されたＢＳ受信信号の中から、予め設定された放送チャンネルのＢＳデジタル放送信号を選局し、その選局したＢＳデジタル放送信号からアナログ映像信号及びアナログ音声信号を復調して映像出力端子（Ｓ端子若しくはコンポジット端子）及び音声出力端子から出力すると共に、アナログ音声信号を復調する前のデジタル音声信号を光信号に変換して光出力端子から光音声信号として出力するようにされている。
【００２７】
尚、ＢＳデジタル放送では、モノラル、ステレオ、多音声（二カ国語若しくは主・副）の何れかの音声モードで放送していることから、ＢＳデジタルチューナ２２は、この音声モードに対応して音声信号を復調し、その復調したアナログ音声信号を、ステレオ、多音声の音声信号を出力可能な２つの音声出力端子（Ｒ・Ｌ）から出力する。
【００２８】
一方、各復変調部２０に設けられた変調器２４は、映像入力端子Ｔｖｉ、音声入力端子Ｔａｒ、Ｔａｌを介して、ＢＳデジタルチューナ２２から、アナログ映像信号及びアナログ音声信号を取り込み、これら各信号から所定周波数帯（例えば、４５ＭＨｚ帯）のアナログテレビ信号（ＮＴＳＣ）を生成する変調部２４ａと、この変調部２４ａにて生成されたアナログテレビ信号を、予め設定された伝送チャンネル（換言すればその伝送チャンネルに対応した周波数帯）のアナログテレビ放送信号に周波数変換する周波数変換部２４ｂと、この周波数変換部２４ｂにて周波数変換されたアナログテレビ放送信号を増幅する増幅部２４ｃとから構成され、この増幅部２４ｃにて増幅されたアナログテレビ放送信号を出力端子Ｔｏｕｔ  から出力するようにされている。
【００２９】
また、変調部２４ａは、アナログテレビ信号（ＮＴＳＣ）を生成する際、アナログ音声信号を変調するが、この変調時には、アナログ音声信号の音声モードに対応して変調方式を切り換える。そして、このために、変調器２４には、アナログ音声信号の音声モードを表す制御信号「ＭＯ」、「ＢＩ」を外部から入力するための制御信号入力端子Ｔｉ０、Ｔｉ１が設けられ、変調部２４ａは、この制御信号入力端子Ｔｉ０、Ｔｉ１に入力された制御信号「ＭＯ」、「ＢＩ」の信号レベルから、アナログ音声信号の音声モードを識別して、アナログ音声信号の変調方式を切り換える。
【００３０】
尚、図２（ｂ）に示すように、制御信号「ＭＯ」は、アナログ音声信号がモノラルであるときにＨｉｇｈレベルとなり、制御信号「ＢＩ」は、アナログ音声信号が多音声であるときにＨｉｇｈレベルとなるように設定されており、変調部２４ａは、この制御信号「ＭＯ」、「ＢＩ」の信号レベルの組み合わせから、アナログ音声信号の音声モードが、モノラル（ＭＯ：Ｈｉｇｈ，ＢＩ：Ｌｏｗ  ）、ステレオ（ＭＯ：Ｌｏｗ  ，ＢＩ：Ｌｏｗ  ）、多音声（ＭＯ：Ｌｏｗ  ，ＢＩ：Ｈｉｇｈ）の何れであるかを識別する。
【００３１】
このように、本実施例では、変調器２４の変調部２４ａが、制御信号入力端子Ｔｉ０、Ｔｉ１に入力された制御信号「ＭＯ」、「ＢＩ」の信号レベルから、アナログ音声信号の音声モードを識別して、アナログ音声信号の変調方式を切り換えることから、この制御信号入力端子Ｔｉ０、Ｔｉ１に、ＢＳデジタルチューナ２２が選局したＢＳデジタル放送の音声モード（換言すればアナログ音声信号の音声モード）を表す制御信号「ＭＯ」、「ＢＩ」を入力すれば、各復変調部２０から出力されるアナログテレビ放送信号の音声モードを元のＢＳデジタル放送の音声モードに対応させることができるのであるが、各変調部２０には、コスト低減のために民生用のＢＳデジタルチューナ２２が使用され、このＢＳデジタルチューナ２２から、ＢＳデジタル放送の音声モードを表す制御信号「ＭＯ」、「ＢＩ」を出力させることができない。
【００３２】
そこで、本実施例では、図１に示すように、各復変調部２０に、ＢＳデジタルチューナ２２から出力される光音声信号に基づきＢＳデジタルチューナ２２が選局したＢＳデジタル放送の音声モードを識別するコントローラ３０を設け、このコントローラ３０から変調器２４の制御信号入力端子Ｔｉ０、Ｔｉ１に制御信号「ＭＯ」、「ＢＩ」を入力するようにしている。
【００３３】
このコントローラ３０は、本発明の音声判定手段に相当するものであり、図３（ａ）に示すように構成されている。
即ち、コントローラ３０は、ＢＳデジタルチューナ２２から光信号入力端子Ｔｏｐを介して光音声信号（換言すればデジタル音声信号）を取り込み、光音声信号に含まれる各種データを復号化するデコーダ（デジタルオーディオインターフェイス）３０ａと、このデコーダ３０ａにて復号されたデータの内、音声モードを表すチャネルステータス情報（具体的には、チャネルステータスビット、又はユーザビット）を選択するデータ選択部３０ｂと、データ選択部３０ｂで選択されたチャネルステータス情報に基づきＢＳデジタルチューナ２２が選局しているＢＳデジタル放送の音声モードを識別し、その識別した音声モードに対応した制御信号「ＭＯ」、「ＢＩ」を制御信号出力端子Ｔｃ０、Ｔｃ１を介して変調器２４に出力するマイクロコンピュータ（以下、単にマイコンという）３０ｃと、から構成されている。
【００３４】
そして、マイコン３０ｃは、図３（ｂ）に示すように、Ｓ１１０（Ｓはステップを表す）にて、データ選択部３０ｂで選択されたチャネルステータス情報から、ＢＳデジタルチューナ２２が選局しているＢＳデジタル放送の音声モードを判定し、その判定した音声モードがモノラルであれば（Ｓ１２０：ＹＥＳ）、制御信号出力端子Ｔｃ０から出力する制御信号「ＭＯ」をＨｉｇｈレベルに設定し、制御信号出力端子Ｔｃ１から出力する制御信号「ＢＩ」をＬｏｗ  レベルに設定することにより、音声モードがモノラルであることを表す制御信号を変調器２４に出力し（Ｓ１３０）、Ｓ１１０にて判定した音声モードがモノラルでなく（Ｓ１２０：ＮＯ）、ステレオであれば（Ｓ１４０：ＹＥＳ）、制御信号出力端子Ｔｃ０及びＴｃ１から出力する制御信号「ＭＯ」、「ＢＩ」を共にＬｏｗ  レベルに設定することにより、音声モードがステレオであることを表す制御信号を変調器２４に出力し（Ｓ１５０）、Ｓ１１０にて判定した音声モードがモノラルでもステレオでもなく（Ｓ１２０：ＮＯ，Ｓ１４０：ＮＯ）、多音声であれば、制御信号出力端子Ｔｃ０から出力する制御信号「ＭＯ」をＬｏｗ  レベルに設定し、制御信号出力端子Ｔｃ１から出力する制御信号「ＢＩ」をＨｉｇｈレベルに設定することにより、音声モードが多音声であることを表す制御信号を変調器２４に出力する（Ｓ１６０）、といった手順で、音声モードの切換処理を実行する。
【００３５】
以上説明したように、本実施例のＣＡＴＶシステムにおいては、ヘッドエンド装置１０内に、ＢＳデジタル放送の各放送チャンネル毎に、ＢＳデジタル放送信号を選局・復調してアナログテレビ放送信号に変換する複数の復変調部２０を設け、ＢＳデジタル放送にて提供される映像及び音声信号を端末側で再生できるようにしている。また、各復変調部２０には、ＢＳデジタルチューナ２２から出力される光音声信号（デジタル音声信号）に含まれるチャネルステータス情報から、ＢＳデジタル放送の音声モードを判定して、その音声モードを表す制御信号「ＭＯ」、「ＢＩ」を出力するコントローラ３０を設け、変調器２４側では、コントローラ３０から出力される制御信号に基づき、アナログ音声信号を変調するようにされている。
【００３６】
従って、本実施例のＣＡＴＶシステムにおいては、ヘッドエンド装置１０に、選局したＢＳデジタル放送の音声モードを表す制御信号を出力可能な業務用の高価なＢＳデジタルチューナを設ける必要がなく、ＢＳデジタル放送をアナログテレビ放送として再送信可能なＣＡＴＶシステムを安価に構築できることになる。
【００３７】
また、変調器２４は、ＢＳデジタル放送と同じ音声モードのアナログテレビ放送信号を生成することから、端末側では、ＢＳデジタル放送にて提供されている所望の音声（モノラル音声、ステレオ音声、若しくは多音声の内の主音声又は副音声）を再生できるようになり、加入者に対するサービスを向上できる。
【００３８】
以上、本発明の一実施例について説明したが、本発明は、上記実施例に限定されるものではなく、種々の態様を採ることができる。
例えば、上記実施例では、ヘッドエンド装置１０内にＢＳデジタルチューナ２２を備えた複数の復変調部２０を設け、この復変調部２０で所定放送チャンネルのＢＳデジタル放送を選局・復調して、アナログテレビ放送信号に変換することで、端末側でＢＳデジタル放送を視聴できるようにしたが、ヘッドエンド装置１０に、復変調部２０に、ＢＳデジタルチューナ２２に代えて、ＣＳデジタル放送若しくは地上波デジタル放送を選局・復調するデジタルチューナを設けるようにするか、或いは、そのデジタルチューナと変調器２４とコントローラ３０とからなる復変調部を別途設けるようにすれば、ＣＳデジタル放送や地上波デジタル放送にて提供される映像及び音声信号からなるアナログテレビ放送信号を端末側に再送信できることになる。
【図面の簡単な説明】
【図１】実施例のＣＡＴＶシステムの全体構成を表す構成図である。
【図２】実施例の変調器の構成及び動作を表す説明図である。
【図３】実施例のコントローラの構成及び動作を表す説明図である。
【符号の説明】
２…ＶＨＦアンテナ、４…ＵＨＦアンテナ、６…ＣＳアンテナ、８…ＢＳアンテナ、１０…ヘッドエンド装置、１１…分配器、１２…送出装置、１４，１６…増幅器、２０…復変調部、２２…ＢＳデジタルチューナ、２４…変調器、２４ａ…変調部、２４ｂ…周波数変換部、２４ｃ…増幅部、３０…コントローラ、３０ａ…デコーダ、３０ｂ…データ選択部、３０ｃ…マイコン、Ｌ…伝送線。
【図１】
2004282484.tif 000003
【図２】
2004282484.tif 000004
【図３】
2004282484.tif 000005